(57)【要約】【課題】  形状を変化させることができ使用環境に応じて照明やインテリアとして使用できる照明装置を提供することである。【解決手段】  柔軟性を有し変形自在の柔軟部材の表面に、複数個のＬＥＤの光透光部が位置するようにＬＥＤを配列し、保持部材により複数個のＬＥＤの光透光部を柔軟部材の表面に保持する。また、柔軟部材には、柔軟部材を変形させたときの形状を保持する形状保持部材が挟み込まれている。これにより、形状を自由自在に変化できるので好みに合わせて様々な形状とすることができ、形状保持部材でその形状を保持することができる。【選択図】  図１
2006127993.tif 000002
【特許請求の範囲】
【請求項１】
柔軟性を有し変形自在の柔軟部材と；
光透光部が前記柔軟部材の表面に位置し、本体部が柔軟部材の内部に収容されて配列された複数個のＬＥＤと；
複数個のＬＥＤの光透光部を前記柔軟部材の表面に保持する保持部材と；
前記柔軟部材に挟み込まれ前記柔軟部材を変形させたときの形状を保持する形状保持部材と；
を備えたことを特徴とする照明装置。
【請求項２】
複数個のＬＥＤは帯状の絶縁された金属板に直列に配列され、前記形状保持部材は帯状に形成され、前記形状保持部材と複数個のＬＥＤが配列された金属板とを前記柔軟部材に交互に配列されたこと特徴とする請求項１記載の照明装置。
【発明の詳細な説明】
【技術分野】
【０００１】
本発明は、使用者が容易にかつ繰り返し変形や定型することのできる照明装置に関する。
【背景技術】
【０００２】
発光ダイオード（ＬＥＤ）は電力消費が少なく長寿命であることから、電球を用いた照明装置に代えて発光ダイオード（ＬＥＤ）を用いた照明装置が開発されている。また、各種情報を表示する表示装置の光源としても使用されている。さらに、意匠的な演色をするためにＬＥＤが用いられる場合もある。
【０００３】
コースター内部にリチウム電池とＬＥＤ電球とを配置し、コースターにガラスコップを載せるとコップの底面から光が入り、コースターの本質的用途に変わりなく使用しながら、光による視覚的効果によってインテリアとしても活用できるようにしたものがある（例えば、特許文献１参照）。
【特許文献１】実開平６−４５５７８号公報（図３）
【発明の開示】
【発明が解決しようとする課題】
【０００４】
しかし、特許文献１のものではコースター内部にリチウム電池とＬＥＤ電球とを配置し、コースターの本質的用途に変わりなく使用しながら、光による視覚的効果によってインテリアとしても活用するものであることから、その使用はコースターに限られ、形状もコースターの形状のままである。
【０００５】
本発明の目的は、使用環境に応じて形状を変化させることができる照明装置を提供することである。
【課題を解決するための手段】
【０００６】
請求項１の発明に係わる照明装置は、柔軟性を有し変形自在の柔軟部材と；
光透光部が前記柔軟部材の表面に位置し、本体部が柔軟部材の内部に収容されて配列された複数個のＬＥＤと；複数個のＬＥＤの光透光部を前記柔軟部材の表面に保持する保持部材と；前記柔軟部材に挟み込まれ前記柔軟部材を変形させたときの形状を保持する形状保持部材と；を備えたことを特徴とする。
【０００７】
本発明及び以下の発明において、特に指定しない限り用語の定義及び技術的意味は以下による。柔軟部材は、変形自在で柔軟性を有する部材、例えば布地、紙質材、ビニール等を含む。ＬＥＤの発光色としては白色や電球色のものを用いるがそれに限定されない。ＬＥＤの柔軟部材への配列は、ＬＥＤの光透光部が柔軟部材の表面に位置するように配列する。柔軟部材の表面に位置するとは、ＬＥＤの光透光部からの光が柔軟部材の表面位置から空間に放射されるように配列することを意味し、例えば、ＬＥＤ本体部を柔軟部材中に配置し、ＬＥＤの光透光部を柔軟部材の表面から突出させる場合を含む。
【０００８】
保持部材は複数個のＬＥＤの光透光部を柔軟部材の表面に保持するものである。例えば、鳩目である。柔軟部材の表面に保持するとは、柔軟部材が変形してもＬＥＤの光透光部からの光が柔軟部材の表面位置から空間に放射されるように、ＬＥＤの光透光部を柔軟部材に保持することを意味する。
【０００９】
形状保持部材は柔軟部材を変形させたときの形状を保持するものであり、形状保持部材は可逆性を有し一旦変形した形状を基の形状に戻すことができるものである。例えば、金属板や金属網等で形成される。形状保持部材は柔軟部材に挟み込まれて配置される。
【００１０】
請求項２の発明に係わる照明装置は、請求項１の発明において、複数個のＬＥＤは帯状の絶縁された金属板に直列に配列され、前記形状保持部材は帯状に形成され、前記形状保持部材と複数個のＬＥＤが配列された金属板とを前記柔軟部材に交互に配列されたこと特徴とする。
【００１１】
複数個のＬＥＤは帯状の絶縁された金属板に直列に配列しとは、複数個のＬＥＤを帯状の絶縁された金属板に直列に配置して電気的に接続し帯状のＬＥＤ配列体を形成することを意味する。形状保持部材と複数個のＬＥＤが配列された金属板とを柔軟部材に交互に配列しとは、柔軟部材内に帯状のＬＥＤ配列体を挟み込んでＬＥＤの光透光部を柔軟部材の表面から突出させ、その隣の位置の柔軟部材内に形状保持部材を挟み込み、これを交互に繰り返して配列することを意味する。
【発明の効果】
【００１２】
本発明によれば、形状を自由自在に変化できるので好みに合わせて様々な形状とすることができ、形状保持部材でその形状を保持することができるので、装飾性を向上させることができる。また、ＬＥＤの光透光部を保持部材により柔軟部材の表面に保持するので、形状を変更する際にＬＥＤが柔軟部材の中に潜ることを防止できる。また、ＬＥＤは点光源で発熱が少ないので複数個のＬＥＤを柔軟部材の表面に配列でき、柔らかな意匠性に優れた照明ができる。
【００１３】
また、柔軟部材として布地を使用した場合には軽量であるので、床置きだけでなく、天井直付けや吊り下げが容易にできるので、様々な使用環境に対応できる。
【発明を実施するための最良の形態】
【００１４】
図１は本発明の実施の形態に係わる照明装置の外観構成図、図２は照明装置におけるＬＥＤ配列体の外観構成図、図３は照明装置における形状保持部材の外観構成図、図４は照明装置の製作の説明図である。
【００１５】
図１において、照明装置１１は、柔軟部材１２に複数個のＬＥＤ１３が装着されて形成されている。柔軟部材１２は例えば布地であり、ＬＥＤ１３は、その光透光部が柔軟部材１２から突出するように取り付けられ、ＬＥＤ１３の光透光部は保持部材１４により柔軟部材１４の表面に保持されている。保持部材１４は柔軟部材１２が変形してもＬＥＤ１３の光透光部からの光が柔軟部材１２の表面位置から空間に放射されるように、ＬＥＤ１３の光透光部を柔軟部材１２に保持するものである。柔軟部材１２の四隅には取付具１５が取り付けられており、また、そのうちの一隅にはＬＥＤ１３に電源を供給するための端子１６が設けられている。
【００１６】
なお、照明装置１１を吊り下げたり天井に直付けして使用しない場合には、取付具１５は設ける必要はないし、吊り下げする場合であっても必ずしも柔軟部材１２の四隅に取付具１５を設ける必要はなく、吊り下げに必要な箇所に取付具１５を設けることになる。また、電源を供給するための端子１６も柔軟部材１２の一隅に設ける必要はなく、例えば、柔軟部材１２の背面側（ＬＥＤの光透光部が突出していない側）のいずれかの箇所に設けるようにしてもよい。
【００１７】
次に、図２に示すように、複数個のＬＥＤ１３は帯状の絶縁された金属板１７に直列に配列され、配線１８より電気的に接続されてＬＥＤ配列体１９として形成されている。ＬＥＤ配列体１９は金属板１７で形成されていることから変形が可能となっている。また、図３に示すように、形状保持部材２０は帯状に形成される。図３では金属網で形成された場合を示している。形状保持部材２０は金属網で形成されていることから変形が可能となっている。
【００１８】
図４に示すように、照明装置１１を製作するにあたっては、２枚の柔軟部材１２ａ、１２ｂを用意する。その場合、他方の柔軟部材１２ｂには予めＬＥＤ１３の光透光部を突出させるための穴を設けておき、その穴の周囲には保持部材１４を取り付けておく。そして、柔軟部材１２ａ、１２ｂを重ねて他方の柔軟部材１２ｂが多少長めになるように余裕を持たせて、横方向に所定の間隔を保って縫い目２１を入れる。次に、一方の端部において縦方向に縫い目を入れて袋状を形成する。その後に、その袋状部分にＬＥＤ配列体１９及び形状保持部材２０を交互に挿入し、ＬＥＤ配列体１９及び形状保持部材２０を挟み込むように配置する。最後に、他方の端部からＬＥＤ配列体１９の配線１８をまとめて端子１６に集線し他方端部にも縫い目を入れ、柔軟部材１２の四隅に取付具１５を取り付ける。
【００１９】
また、他の一例として、一方の柔軟部材１２ａ上にＬＥＤ配列体１９及び形状保持部材２０を交互に配置し、他方の柔軟部材１２ｂをその上部から被せて、ＬＥＤ配列体１９及び形状保持部材２０の境目に縫い目２１を入れるとともに、一方の端部において縦方向に縫い目を入れる。ＬＥＤ配列体１９及び形状保持部材２０を挟み込むように配置する。最後に、他方の端部からＬＥＤ配列体１９の配線１８をまとめて端子１６に集線し他方端部にも縫い目を入れ、柔軟部材１２の四隅に取付具１５を取り付ける。
【００２０】
以上の説明では、ＬＥＤ配列体１９と形状保持部材２０とを柔軟部材１２に交互に配列するようにしたが、形状保持部材２０を柔軟部材１２とほぼ同じ大きさに形成し、柔軟部材１２ａの上部に形状保持部材２０を配置し、その形状保持部材２０の上部に間隔を保ってＬＥＤ配列体１９を配列する。そして、ＬＥＤ配列体１９を挟み込むように縫い目２１を入れるとともに、一方の端部において縦方向に縫い目を入れるようにしてもよい。
【００２１】
図５は、本発明の照明装置１１を天井から吊り下げた場合の変形態様の説明図である。図５（ａ）は照明装置１１を「フラット」の形状にし、天井から吊り下げた場合を示している。天井から吊り下げるので、取付具１５を柔軟部材１２の四隅に設け、吊下具２２で天井に吊り下げる。図５（ｂ）は照明装置１１を「帆」の形状にし、天井から吊り下げた場合を示している。この場合も取付具１５を柔軟部材１２の四隅に設け、帆の形状に変形された照明装置１１を吊下具２２で天井に吊り下げる。図５（ｃ）は照明装置１１を「折り」の形状にし、天井から吊り下げた場合を示している。この場合は、取付具１５を柔軟部材１２の二隅に設け、折りの形状に変形された照明装置１１を吊下具２２で天井に吊り下げる。このように、各種形状を変えて通常の照明装置のように天井からの照明が可能となる。
【００２２】
図６は、本発明の照明装置１１を置形として使用する場合の変形態様の説明図である。図６（ａ）は照明装置１１を置形として使用した場合を示している。かぶせるような形状にしておくので、取付具１５を必要としない。図６（ｂ）は照明装置１１を捻った形状にし、置形として使用した場合を示している。例えば、柱や棒状のものに捻って取り付ける。この場合、柱や棒状のものに固定するために、必要に応じて取付具を設けるようにしてもよい。図６（ｃ）は照明装置１１を丸めた形状にし、置形として使用した場合を示している。例えば、手摺りや棒状のものに丸めて取り付ける。この場合も、手摺りや棒状のものに固定するために、必要に応じて取付具を設けるようにしてもよい。
【００２３】
本発明の実施の形態によれば、光源であるＬＥＤは点光源であるので、限られた面積の中に複数個のＬＥＤをレイアウトできるので、柔軟部材１２を変形させてもその変形に応じて全体としての光源部の形状を変化させることができる。また、ＬＥＤの光透光部は柔軟部材１２から突出しているの放熱効果もよくなる。
【００２４】
また、形状を自在に変化させることができるので、形状全体に自由度が生まれ好みに合わせて様々な形状の照明装置にすることができる。そして、形状保持部材により変形させた形状に保持できので、その形状を安定させることができる。また、形状を変更する際には、保持部材によりＬＥＤを柔軟部材に保持しているのでＬＥＤが柔軟部材の中に潜ることを防ぐことができる。
【図面の簡単な説明】
【００２５】
【図１】本発明の実施の形態に係わる照明装置の外観構成図。
【図２】本発明の実施の形態に係わる照明装置におけるＬＥＤ配列体の外観構成図。
【図３】本発明の実施の形態に係わる照明装置における形状保持部材の外観構成図。
【図４】本発明の実施の形態に係わる照明装置の製作の一例を示す説明図。
【図５】本発明の照明装置を天井から吊り下げた場合の変形態様の説明図。
【図６】本発明の照明装置を置形として使用する場合の変形態様の説明図。
【符号の説明】
【００２６】
１１…照明装置、１２…柔軟部材、１３…ＬＥＤ、１４…保持部材、１５…取付具、１６…端子、１７…金属板、１８…配線、１９…ＬＥＤ配列体、２０…形状保持部材、２１…縫い目、２２…吊下具
【図１】
2006127993.tif 000003
【図２】
2006127993.tif 000004
【図３】
2006127993.tif 000005
【図４】
2006127993.tif 000006
【図５】
2006127993.tif 000007
【図６】
2006127993.tif 000008